(57)【要約】【課題】キートップの色選択を自由とすることができる携帯電子機器を提供する。【解決手段】ラバーベース３１は、第２筐体フロントケース６の外部表面に露出して、発光部５０が出射した光を第２筐体フロントケース６外部に放射する図形照光部１０２を有する。【選択図】図６
2010257801.tif 000002
【特許請求の範囲】
【請求項１】
開口部を有する筐体と、
前記開口部に配設されているキートップと、
前記キートップが形成され、透明又は半透明なラバーベースと、
前記筐体内部に形成され、前記ラバーベースに光を供給する発光部及び前記キートップに対応する位置にスイッチが実装されるプリント基板と、を有し、
前記ラバーベースは、前記筐体の外部表面に露出して、前記発光部が出射した光を前記筐体外部に放射する放射面を有する
携帯電子機器。
【請求項２】
前記放射面は、キートップの近傍に配置されており、前記のキートップの表面に形成されるキー図形の少なくとも１つと同じ図形となるように形成される
請求項１に記載の携帯電子機器。
【請求項３】
前記放射面は前記筐体の外部表面と面一面となるように構成される
請求項１項又は２項に記載の携帯電子機器。
【請求項４】
前記ラバーベースの裏面方向位置には導光シートが配設されており、
前記導光シートには、導光シート内を導光されてきた光を拡散するための光拡散部材が形成される
請求項１〜３のいずれか１項に記載の携帯電子機器。
【請求項５】
開口部を有する筐体と、
前記開口部に配設されているキートップと、
前記筐体の内部に配設され、透明又は半透明な透明筐体と、
前記筐体内部に形成され、前記透明筐体に光を供給する発光部及び前記キートップに対応する位置にスイッチが形成されるプリント基板と、を有し、
前記透明筐体は、前記筐体の外部に露出して、前記発光部が出射した光を放射する放射面を有する
携帯電子機器。
【請求項６】
前記放射面は、キートップの近傍に配置されており、前記キートップの表面に形成されるキー図形の少なくとも１つと同じ図形となるように形成される
請求項５に記載の携帯電子機器。
【請求項７】
前記放射面は前記筐体の外部表面と面一面となるように構成される
請求項５又は６に記載の携帯電子機器。
【請求項８】
開口部を有する筐体と、
前記開口部に配設されているキートップと、
前記筐体内部に形成され、発光部及び前記キートップに対応する位置にスイッチが形成されるプリント基板と、を有し、
前記筐体は、前記発光部から出射される光を遮断する材料から形成される遮光部と、前記発光部から出射される光を透過する材料から形成される透明部と、を含み、
前記透明部は、前記筐体外部に光を照射する放射面を有している
携帯電子機器。
【請求項９】
前記放射面は、キートップの近傍に配置されており、前記キートップの表面に形成されるキー図形の少なくとも１つと同じ図形となるように形成される
請求項８に記載の携帯電子機器。
【請求項１０】
前記放射面は遮光部と面一面となるように構成される
請求項８又は９に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
従来、携帯電子機器にキー入力するキートップを照光して、ユーザがキーの位置を容易に認識することができるようにすることが行われている。
そして、キートップを照光する方法として文字部分は光を透過させ、文字部分以外を光が透過しない材料によって構成するという文字照光の方法が用いられる場合がある。
特許文献１には、文字照光によって照光するキートップを制作する方法が記載されている。
具体的には、特許文献１には、キートップを構成する材料の表面全面にレーザに反応する色の材料をメッキして、その表面にレーザを文字の形状に照射して、レーザに反応する色の材料を揮発させる方法が記載されている。
【先行技術文献】
【特許文献】
【０００３】
【特許文献１】特開２０００−０４８６６５号公報
【発明の概要】
【発明が解決しようとする課題】
【０００４】
しかしながら、特許文献１の方法では、メッキする部材の色はレーザに反応する色でなければならず、キートップの色が限られてしまうという欠点がある。
【０００５】
本発明の目的は、キートップの色を自由に選択できる携帯電子機器を提供することである。
【課題を解決するための手段】
【０００６】
本発明における第１の観点の携帯電子機器は、開口部を有する筐体と、前記開口部に配設されているキートップと、前記キートップが形成され、透明又は半透明なラバーベースと、前記筐体内部に形成され、前記ラバーベースに光を供給する発光部及び前記キートップに対応する位置にスイッチが実装されるプリント基板と、を有し、前記ラバーベースは、前記筐体の外部表面に露出して、前記発光部が出射した光を前記筐体外部に放射する放射面を有する。
【０００７】
好適には、前記放射面は、キートップの近傍に配置されており、前記のキートップの表面に形成されるキー図形の少なくとも１つと同じ図形となるように形成される。
【０００８】
好適には、前記放射面は前記筐体の外部表面と面一面となるように構成される。
【０００９】
好適には、前記ラバーベースの裏面方向位置には導光シートが配設されており、前記導光シートには、導光シート内を導光されてきた光を拡散するための光拡散部材が形成される。
【００１０】
本発明における第２の観点の携帯電子機器は、開口部を有する筐体と、前記開口部に配設されているキートップと、前記筐体の内部に配設され、透明又は半透明な透明筐体と、前記筐体内部に形成され、前記透明筐体に光を供給する発光部及び前記キートップに対応する位置にスイッチが形成されるプリント基板と、を有し、前記透明筐体は、前記筐体の外部に露出して、前記発光部が出射した光を放射する放射面を有する。
【００１１】
好適には、前記放射面は、キートップの近傍に配置されており、前記キートップの表面に形成されるキー図形の少なくとも１つと同じ図形となるように形成される。
【００１２】
好適には、前記放射面は前記筐体の外部表面と面一面となるように構成される。
【００１３】
本発明における第３の観点の携帯電子機器は、開口部を有する筐体と、前記開口部に配設されているキートップと、前記筐体内部に形成され、発光部及び前記キートップに対応する位置にスイッチが形成されるプリント基板と、を有し、前記筐体は、前記発光部から出射される光を遮断する材料から形成される遮光部と、前記発光部から出射される光を透過する材料から形成される透明部と、を含み、前記透明部は、前記筐体外部に光を照射する放射面を有している。
【００１４】
好適には、前記放射面は、キートップの近傍に配置されており、前記キートップの表面に形成されるキー図形の少なくとも１つと同じ図形となるように形成される。
【００１５】
好適には、前記放射面は遮光部と面一面となるように構成される。
【発明の効果】
【００１６】
本発明によると、キートップの色を自由に選択できる携帯電子機器を提供することである。
【図面の簡単な説明】
【００１７】
【図１】本発明の実施形態に係る携帯電話機の外観を開状態で示す斜視図である。
【図２】図１のＩＩ−ＩＩにおける断面図である。
【図３】図２におけるＡ部分を拡大した拡大図である。
【図４】図１の入力部の拡大図である。
【図５】キー図形が印刷された入力部の全体を表した説明図である。
【図６】本発明の変形例を説明する説明図
【発明を実施するための形態】
【００１８】
図１は、本発明の実施形態に係る携帯電話機１の外観を開状態で示す斜視図である。
【００１９】
携帯電話機１は、いわゆる折り畳み式の携帯電話機１として構成されており、開状態と閉状態との間で互いに回動可能にヒンジ部９によって連結された第１筐体２及び第２筐体３を有している。図１は、第１筐体２及び第２筐体３の開状態を示している。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００２０】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００２１】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００２２】
また、第１筐体２においてヒンジ部９に向かう方向を結合部方向（図１の第１筐体２においては、紙面下の方向）といい、その逆を結合部反対方向（図１の第１筐体２においては、紙面上方向）という。
同様に、第２筐体３においても、ヒンジ部９に向かう方向を結合部方向（図１の第２筐体３においては、紙面上の方向）といい、その逆を結合部反対方向（図１の第２筐体３においては、紙面下の方向）という。
【００２３】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００２４】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２５】
また、図１のように、第２筐体フロントケース６の表面方向には、入力部１０が配置されている。この入力部１０をユーザが操作することによって、携帯電話機１に命令の入力、文字の入力等がなされる。
【００２６】
図２は、図１のＩＩ−ＩＩにおける断面図である。
【００２７】
第２筐体フロントケース６と第２筐体リアケース７とが、その内面どうしを対向させて結合している。
そして、それによって形成される内部空間に、内部筐体２４が配置されている。内部筐体２４の裏面方向には、着脱可能なバッテリ２６が配置されている。このバッテリ２６は携帯電話機１に電力を供給している。
さらに、裏面方向には、バッテリ２６を交換可能とするためにバッテリカバー２７が配置されている。
【００２８】
内部筐体２４の、表面方向には、スイッチ３２が実装されるプリント基板２３が配置されている。このプリント基板２３には、発光部５０が実装されている。
発光部５０は、例えば、ＬＥＤ（Light Emitting Diode:発光ダイオード）によって構成されている。
【００２９】
スイッチ３２は、例えば、固定接点３０と、ドーム状の板金であるメタルドーム２９により構成されている。メタルドーム２９は固定接点３０を覆っている。
ユーザがキートップ１３を押圧すると、それにともないラバー３１が弾性変形する。さらに、そのラバーシート３１の弾性変形によって、ラバーシート３１がメタルドーム２９の頭頂部を押圧する。
それによって、メタルドーム２９も弾性変形をおこす、その変形量が一定程度を超えると、メタルドーム２９の一部が凹んで反対側に凸となる。
これによって、メタルドーム２９はクリック感を生じつつ固定接点３０に当接する。
メタルドーム２９と固定接点３０が当接することによって電流が流れ、この電流の流れを制御部が検出する。そして、このことによって、ユーザによるキートップ１３の押しこみ、つまり、ユーザによるキー入力操作を検出する。
【００３０】
プリント基板２３の表面方向にはキーシート３３が配置されている。キーシート３３はユーザが押圧を行う部分である複数のキートップ１３と、前記複数のキートップ１３が接着されるラバーベース３１から成っている。
ラバーベース３１は、例えば、透明又は半透明で容易に撓むシリコン樹脂等で構成する。
一方、キートップ１３は、透明又は半透明で比較的強度の高いプラスチック等で構成する。
なお、キートップ１３とラバーベース３１とは必ずしも別体で構成する必要はなく、一体的に構成してもよい。
ラバーベース３１は透明又は半透明な材料によって構成されており、発光部５０から出射した光を携帯電話機１の外部に照射可能に構成されている。
【００３１】
ラバーベース３１の裏面方向には導光シート３４が配置されている。導光シート３４は、発光部５０が出射した光を受けて、携帯電話機１の外部に光を導光する役割を有している。
【００３２】
第２筐体フロントケース６には、キートップ１３が配設されるための複数の開口部４０が形成されている。この開口部４０の周辺には第２筐体フロントケース６を保護する目的、及び、携帯電話機１の意匠性を向上させる目的を有する装飾シート２０が張り付けられる。
【００３３】
図３は、図２におけるＡ部分を拡大した拡大図である。
【００３４】
キートップ１３の裏面方向位置に、キートップ１３に対応してスイッチ３２が配置される。
図２に示されている発光部５０は、ＬＥＤ（Light Emitting Diode:発光ダイオード）によって構成されており、例えば、赤、緑、青の光の三原色を発光するダイオードを備えており、それぞれの色の発光状況によって複数の色を発光可能とする。
もっとも、必ずしも発光部５０をＬＥＤに限定する趣旨ではなく光を発光可能なものであればどのようなものであってもよい。例えば、紫外線を照射するＬＥＤであってもよい。
キートップ１３とスイッチ３２の間にはラバーベース３１が配置されている。このラバーベース３１は、複数のキートップ１３に共通した部材である。つまり、１つのラバーベース３１に複数のキートップ１３が形成されている。
ラバーベース３１の一部は、後述するが第２筐体フロントケース６の表面に露出している輪郭照光部１００と図形照光部１０２とを有している。
【００３５】
ラバーベース３１の裏面方向に配置される導光シート３４は、前述した発光部５０が出射した光が入射し、その入射光を全反射して光を導光する。そして、導光された光は光拡散部材５２によって拡散されて導光シート３４から放射される。
そうすると、導光シート３４から放射された光は、透明又は半透明のラバーベース３１を透過して、ラバーベース３１の携帯電話機１の外部に露出している部分である輪郭照光部１００及び図形照光部１０２から携帯電話機１の外部に放射される。
この放射光によってユーザは、キートップ１３の位置及びキートップ１３を押圧した場合の機能を認識することができる。
【００３６】
キートップ１３、輪郭照光部１００及び図形照光部１０２は、装飾シート２０によって形成される携帯電話機１（第２筐体フロントケース６）の外部表面とほぼ面一面となっている。
【００３７】
図４は、図１の入力部１０の拡大図である。
【００３８】
図４のように、キートップ１３にはキー図形２５が印刷されている。このキー図形２５を参照してユーザはキー入力を行う。
キー図形２５は、通常は、数字、図形、記号及び文字等から形成されている。つまり、キー図形２５は、キートップ１３に形成される数字、文字、図形及び記号を総称する概念である。
図４では、数字の「１」、英文字の「．」、ひらがな文字の「あ」及び記号の「＠」がキー図形２５となる。
キー図形２５は、キートップ１３に印刷されている他の部分の色とは異なった色で形成して、ユーザに認識しやすくするのが通常である。
【００３９】
図４のように、キートップ１３の周囲にキートップ１３の形状を示す、直線かつ平行な隙間が略長方形の形状に形成されている。この隙間部分が輪郭照光部１００である。
この輪郭照光部１００が照光されていることによって、ユーザはキートップ１３の位置を認識することができ、確実にキートップ１３を押圧することができる。特に、暗闇においてはキートップ１３の位置を確実に認識することができ、有利である。
キートップ１３の右側面方向位置には、図形照光部１０２が配置される。この図形照光部１０２に隣接しているキートップ１３に形成されているキー図形２５のうち一つと同様の形でそれを拡大した形状に形成される。
図４においては、キートップ１３に形成されているキー図形２５「１」「．」「あ」「＠」のうちの、数字の「１」を拡大した形状に形成されている。
このように、キートップ１３に形成されたキー図形２５と同様な図形照光部１０２が照光されることによって、ユーザはキートップ１３を押し込んだ時にどのようなキー入力となるのか知ることができる。
暗闇においてキートップ１３に形成されたキー図形２５が認識できない、又は、認識が困難な場合には、特に有利である。
【００４０】
図５は、キー図形２５が印刷された入力部１０の全体を表した説明図である。
【００４１】
図５のように、輪郭照光部１００及び図形照光部１０２が各キートップ１３にそれぞれ配置されている。
これによって、ユーザは入力操作を行うキートップ１３を確実に発見することができる。
図５においては、キートップ１３の右側面方向位置に形成される図形照光部１０２はキートップ１３に形成されているキー図形２５のうちのを例示しているが、必ずしもこれに限定する趣旨ではない。
たとえば、ひらがな文字の「あ」「か」「さ」「た」「な」等が形成されていてもよいし、英文字の「Ａ」「Ｄ」「Ｇ」「Ｊ」「Ｍ」などでもよい。
さらに、数字、ひらがな文字、英文字等のうち任意のものを組み合わせた図形を図形照光部１０２の形状としてもよい。
また、図形照光部１０２の位置も必ずしもキートップ１３の右側面方向位置である必要はなく、左側面方向位置であっても、結合部方向位置であっても、結合部反対方向位置であってもよい。
【００４２】
以上のように、本発明の携帯電話機１は、文字照光ではなく輪郭照光を採用しているので、キートップ１３の表面に行う印刷の色をレーザに反応する色とする必要がない。
そのことは、キートップ１３の色を自由に選択することができるのであるから、デザイン上の自由度が向上することを意味する。
【００４３】
＜第１の変形例＞
上述した本発明の実施形態は、導光シート３４を用いるものであった。
しかし、導光シート３４を用いる必然性は必ずしもない。
以下に、第１の変形例を記述する。
【００４４】
図６は、本発明の変形例を説明する説明図である。
【００４５】
図６のように、プリント基板２３にはメタルドーム２９及び固定接点３０から構成されるスイッチ３２が配置される。そして、このスイッチ３２の近傍には発光部５０が配置される。
発光部５０は、表面側方向に光を出射して、後述する透明筐体５４に対して光を照射する。
スイッチ３２の表面方向位置には、キートップ１３が配置されている。
キートップ１３が押圧されると、スイッチ３２を押圧する。
第２筐体フロントケース６の裏面方向位置に透明筐体５４が配置される。この透明筐体５４は携帯電話機１の表面方向に露出した部分である輪郭照光部１００及び図形照光部１０２を有する。
透明筐体５４は透明又は半透明の部材によって構成されている。
発光部５０から出射された光は、透明筐体５４に入射し、透明筐体５４を通過して輪郭照光部１００及び図形照光部１０２から放射される。
なお、透明筐体５４に入射した光は反射せずに輪郭照光部１００及び図形照光部１０２から直接放射される場合もあれば、透明筐体５４内で複数回反射されて輪郭照光部１００及び図形照光部１０２から放射される場合もある。
これによって、輪郭照光部１００及び図形照光部１０２は照光される。ユーザは照光された図形を暗闇でも認識することができる。
【００４６】
＜第２の変形例＞
第１の変形例のさらに好適な変形例を記載する。
上記第１の変形例では、透明筺体５４と第２筐体フロントケース６とは、別体であった。
しかし、透明筺体５４と第２筐体フロントケース６とを一体的に形成した方が、一度に成形することが可能となり有利である。
そこで、第２筐体フロントケース６を、遮光性の材料から構成される遮光部（図６では符号６の部材が該当する）と、透明な材料から構成される透明部（図６では符号５４の部材が該当する）から構成する。換言すれば、第２筐体フロントケース６を着色材と透明材の二色成形する。
そして、プリント基板２３に設けられた発光部５０が、透明部に光を出射する。
この光を透明部が、直接又は反射して透過させて、輪郭照光部１００及び図形照光部１０２から放射する。
【００４７】
このように、２色成形すると、容易に輪郭照光部１００及び図形照光部１０２を形成することができるという利点がある。
【００４８】
以上の実施形態によれば、携帯電話機１は、開口部４０を有する第２筐体フロントケース６と、開口部４０に配設されているキートップ１３と、キートップ１３が形成され、透明又は半透明なラバーベース３１を有している。
また、第２筐体フロントケース６内部に形成され、前記ラバーベース３１スに光を供給する発光部５０及び前記キートップ１３に対応する位置にスイッチ３２が実装されるプリント基板２３と、を有している。
そして、ラバーベース３１は、第２筐体フロントケース６の外部表面に露出して、発光部５０が出射した光を第２筐体フロントケース６外部に放射する図形照光部１０２を有する。
このような構成によると、携帯電話機１は文字照光を行わなくても、キートップ１３の位置をユーザは知ることができる。
そうすると、文字照光を行う必要がなくなるので、文字照光するための加工をキートップ１３に行う必要がなくなる。
すると、キートップ１３に印刷される色もレーザに反応する色に限定される理由はなくなるのであるから、キートップ１３に印刷される色の自由度が向上する。
そして、キートップ１３に印刷される色の自由度が向上するということは、携帯電話機１のデザイン上の自由度が上がるという効果を有する。
【００４９】
図形照光部１０２は、キートップ１３の近傍に配置されており、キートップの表面に形成されるキー図形２５の少なくとも１つと同じ図形となるように形成される。
このような構成によって、文字照光を行わなくてもユーザはキートップ１３に形成されているキー図形２５を認識することができる。
そして、文字照光を行わなくてもよいということは、キートップ１３に印刷される色の自由度が向上するという効果を有する。
【００５０】
図形照光部１０２は前記第２筐体フロントケース６の外部表面と面一面となるように構成される。
このような構成によって、携帯電話機１の表面に不要な突起がなくなるという効果がある。
【００５１】
ラバーベース３１の裏面方向位置には導光シート３４が配設されており、導光シート３４には、導光シート３４内を導光されてきた光を拡散するための光拡散部材５２が形成される
このような構成とすることによって、発光部５０の数を減らすことができるという効果がある。
【００５２】
開口部４０を有する第２筐体フロントケース６と、開口部４０に配設されているキートップ１３と、第２筐体フロントケース６の内部に配設され、透明又は半透明な透明筐体５４と、を有する。
また、第２筐体フロントケース６内部に形成され、透明筐体５４に光を供給する発光部５０及び前記キートップ１３に対応する位置にスイッチ３２が形成されるプリント基板２３と、を有している。
そして、透明筐体５４は、第２筐体フロントケース６の外部に露出して、発光部５０が出射した光を放射する図形照光部１０２を有する。
このような構成によると、携帯電話機１は文字照光を行わなくても、キートップ１３の置をユーザは知ることができる。
そうすると、文字照光を行う必要がなくなるので、文字照光するための加工をキートップ１３に行う必要がなくなる。
すると、キートップ１３に印刷される色もレーザに反応する色に限定される理由はなくなるのであるから、キートップ１３に印刷される色の自由度が向上する。
そして、キートップ１３に印刷される色の自由度が向上するということは、携帯電話機１のデザイン上の自由度が上がるという効果を有する。
【００５３】
図形照光部１０２は、キートップ１３の近傍に配置されており、前記のキートップ１３の表面に形成されるキー図形２５の少なくとも１つと同じ図形となるように形成される
このような構成によって、文字照光を行わなくてもユーザはキートップ１３に形成されているキー図形２５を認識することができる。
そして、文字照光を行わなくてもよいということは、キートップ１３に印刷される色の自由度が向上するという効果を有する。
【００５４】
図形照光部１０２は第２筐体フロントケース６の外部表面と面一面となるように構成される。
このような構成によって、携帯電話機１の表面に不要な突起がなくなるという効果がある。
【００５５】
開口部４０を有する第２筐体フロントケース６と、開口部４０に配設されているキートップ１３と、第２筐体フロントケース６内部に形成され、発光部５０及びキートップ１３に対応する位置にスイッチ３２が形成されるプリント基板２３と、を有している。
また、第２筐体フロントケース６は、発光部５０から出射される光を遮断する材料から形成される遮光部と、発光部５０から出射される光を透過する材料から形成される透明部と、を含んでいる。
そして、透明部は、第２筐体フロントケース６外部に光を照射するキートップの側面に輪郭照光部１００、図形照光部１０２を有している。
このような構成によって、第２筐体フロントケース６の表面に輪郭照光部１００及び図形照光部１０２を形成することができる。
また、一度に透明部と遮光部を有する第２筐体フロントケース６を作成することができるのであるから、成形上及び組立上有利である。また、透明部と遮光部は連続的に形成することができるのであるから、段差や隙間などができず、携帯電話機１の意匠性も上昇する。
さらに、携帯電話機１は文字照光を行わなくても、キートップ１３の位置をユーザは知ることができる。
そうすると、文字照光を行う必要がなくなるので、文字照光するための加工をキートップ１３に行う必要がなくなる。
すると、キートップ１３に印刷される色もレーザに反応する色に限定される理由はなくなるのであるから、キートップ１３に印刷される色の自由度が向上する。
そして、キートップ１３に印刷される色の自由度が向上するということは、携帯電話機１のデザイン上の自由度が上がるという効果を有する。
【００５６】
輪郭照光部１００、図形照光部１０２は、キートップ１３の近傍に配置されており、キートップ１３の表面に形成されるキー図形２５の少なくとも１つと同じ図形となるように形成される。
このような構成によって、文字照光を行わなくてもユーザはキートップ１３に形成されているキー図形２５を認識することができる。
そして、文字照光を行わなくてもよいということは、キートップ１３に印刷される色の自由度が向上するという効果を有する。
【００５７】
輪郭照光部１００、図形照光部１０２は遮光部と面一面となるように構成される。
このような構成によって、携帯電話機１の表面に不要な突起がなくなるという効果がある。
【００５８】
なお、以上の実施形態において、第１筐体２及び第２筐体３は本発明の筐体の一例である。つまり、筐体とは、携帯電子機器を収容する容器に該当するものであればどのようなものであってもよい。さらに、容器の一部、例えば、第１筐体フロントケース４、第１筐体リアケース５、第２筐体フロントケース６及び第２筐体リアケース７であっても筐体に該当する。
輪郭照光部１００及び図形照光部１０２は放射面の一例である。
【００５９】
キーシート３３は、キートップ１３とラバーベース３１とを総称する概念である。また、キートップ１３は必ずしもキートップ１３とラバーベース３１が別体として構成されている必要はなく、一体形成されていてもよい。さらに、キートップ１３がなくラバーベース３１に直接キー図形２５が形成されているような場合におけるラバーベース３１についてもキーシート３３に含まれる。
【００６０】
本発明は、以上の実施形態に限定されず、種々の態様で実施されてよい。
【００６１】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００６２】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、１３…キートップ、２０…装飾シート、２３…プリント基板、２４…内部筐体、２５…キー図形、２６…バッテリ、２７…バッテリカバー、２４…内部筐体、２９…メタルドーム、３０…固定接点、３１…ラバーベース、３２…スイッチ、３３…キーシート、３４…導光シート、４０…開口部、５０…発光部、５４…透明筐体、１００…輪郭照光部、１０２…図形照光部（放射面）
Ａ…放射面作成部
【図１】
2010257801.tif 000003
【図２】
2010257801.tif 000004
【図３】
2010257801.tif 000005
【図４】
2010257801.tif 000006
【図５】
2010257801.tif 000007
【図６】
2010257801.tif 000008